(57)【特許請求の範囲】
【請求項１】
外型枠と内型枠との間にコンクリートを打設して形成される壁部の打継部に水平スリットを埋設するための打継埋め込み部材であって、
スリット押さえ部と、外型枠に固定された打継目地棒に係合する目地棒係合部を有し、
前記スリット押さえ部は、前記水平スリットの底面を支持するスリット支持部と、前記水平スリットの一側面と当接し、前記水平スリットを該打継埋め込み部材と前記内型枠との間に位置決めするスリット位置決め部を有し、
前記目地棒係合部と前記スリット押さえ部との間には、上面板と底面板が介在して前記目地棒係合部と前記スリット押さえ部とが連結され、端部が開放した内部空間を形成し、
前記スリット支持部には、前記上面板、前記底面板および前記スリット押さえ部で規定される前記内部空間と連通する通水孔が形成され、
前記底面板は、該打継埋め込み部材が前記打継部に埋め込まれた状態において、前記内部空間の底面に前記壁部の外面に向けて下降する斜面を形成して、前記壁部の外面から浸透し、前記スリット位置決め部を経て、前記通水孔から前記内部空間に流下した水分を、当該内部空間の開放した端部から前記壁部の外面方向へ向け排水させることを特徴とする打継埋め込み部材。
【請求項２】
前記スリット位置決め部の上部が前記目地棒係合部側に折り曲がって水返し部を形成していることを特徴とする請求項１に記載の打継埋め込み部材。
【請求項３】
該打継埋め込み部材は、前記打継部に埋め込まれた状態において、前記上面板が室内側に向けて上昇する斜面を有することを特徴とする請求項１に記載の打継埋め込み部材。
【請求項４】
請求項１または３に記載の打継埋め込み部材において、
該打継埋め込み部材がさらに前記目地棒係合部から前記上面板および前記底面板を分離する分離部を有して、
前記打継目地棒に前記目地棒係合部を係合したのち、前記目地棒係合部に、前記上面板および前記底面板を係合することができることを特徴とする打継埋め込み部材。
【請求項５】
外型枠に固定された打継目地棒に打継埋め込み部材を係合し、内型枠と前記打継埋め込み部材が有するスリット押さえ部との間に水平スリットを位置づけて、コンクリートを型枠内に打設して形成される前記打継埋め込み部材と前記水平スリットを埋設してなる壁部の打継部の構造において、
前記打継埋め込み部材が請求項１ないし４に記載のいずれかの打継埋め込み部材であることを特徴とする打継部の構造。
【発明の詳細な説明】
【技術分野】
【０００１】
本発明は、コンクリート建築物において上層階と下層階との間に形成されるコンクリートの打継部に耐震スリットを埋設するための打継埋め込み部材、および打継部の構造に関するものである。
【背景技術】
【０００２】
柱および梁などで強度を確保するコンクリート建築物では、地震などによる力が柱および梁などから壁部に作用する。こうした力で壁部にひび割れや、梁や柱に亀裂等が生じないようにするために、コンクリート建築物においては、壁部を上層階側の梁（天井側の梁）と一体的に形成する一方、壁部の両側端と柱の間および壁部の下端と下層階側の梁（床側の梁）の間に耐震スリットを埋設し、地震などにより柱および梁などに作用する剪断応力等を緩和している（本明細書においては、床を基準に上層階側の梁と一体的に形成される壁部を「上層階壁部」と、また下層階側の梁と一体的に形成される壁部を「下層階壁部」と、壁部と下層階壁部との間に埋め込まれる耐震スリットを水平スリットと表示する）。
【０００３】
ところで上層階壁部と下層階壁部が水平スリットを介して接する打継部（水平打継部）においては、雨水等の浸水を防がなければならない。かかる打継部としては、図７に示すように、上層階壁部３０と下層階壁部４０にわたって止水部材１を埋設することで、上層階壁部外面３０ａおよび打継部５０等から浸水した雨水が壁部３０の室内側に浸水しないようにしたものがある（例えば特許文献１）。
【特許文献１】特開２００６−２００１７３号公報
【発明の開示】
【発明が解決しようとする課題】
【０００４】
しかし、上述した従来の打継部５０は、図７（ａ）に示すように、水平スリット２０と上層階壁部外面３０ａとの間において、止水部材１を上層階壁部３０および下層階壁部４０の両方にわたって埋設するものであるから、上層階壁部３０と下層階壁部４０のそれぞれのコンクリートが直接接する境界面４０ｓが形成されて、打継部５０に作用する剪断応力等を充分緩和することができなくなる虞があり、また浸水が境界面４０ｓから下層階壁部４０に流下するのを阻止する（止水する）ことができないという問題がある。そこで、図７（ｂ）に示すように、水平スリット２０を、上層階壁部内面３０ｂからコーキング部５１にいたる領域に位置づけて、上層階壁部３０と下層階壁部４０を形成するそれぞれのコンクリートが直接接しないようにすれば、打継部５０に作用する剪断応力等を緩和することができる。
【０００５】
しかし止水部材１は、水平スリット２０を貫通するように上層階壁部３０および下層階壁部４０の両方にわたって埋設されるため、打継部５０における浸水が境界面４０ｓから下層階壁部４０に流下することを阻止することができない。またコンクリートを打設する際、水平スリット２０と上層階壁部外面３０ａとの間隔がコーキング部５１（コンクリートを打設する際、コーキング部５１となる部分には打継目地棒が存在している）の厚さとほぼ同一寸法（例えば２０ｍｍ）になって、該領域を形成するためのコンクリートを打ち難いため、コーキング部５１近傍の上層階壁部外面３０ａに欠落等を生じる虞がある。
【０００６】
そこで、本発明は、打継部に作用する剪断応力等を緩和するとともに、打継部等への浸水を壁部外面側へ向けて排水することに優れ、さらに打継部の形成に際し、水平スリットと壁部外面との間にコンクリートを良好に打設することができて壁部外面に欠落等を生じ難く、好ましくは、建築工期短縮に資することができる打継埋め込み部材と、打継部の構造の提供を課題とするものである。
【課題を解決するための手段】
【０００７】
上記課題を達成するため、本発明に係る打継埋め込み部材（請求項１）は、外型枠と内型枠との間にコンクリートを打設して形成される壁部の打継部に水平スリットを埋設するための打継埋め込み部材であって、スリット押さえ部と、外型枠に固定された打継目地棒に係合する目地棒係合部を有し、スリット押さえ部は、水平スリットの底面を支持するスリット支持部と、水平スリットの一側面と当接し、水平スリットを該打継埋め込み部材と内型枠との間に位置決めするスリット位置決め部を有し、目地棒係合部とスリット押さえ部との間には、上面板と底面板が介在して目地棒係合部とスリット押さえ部とが連結され、端部が開放した内部空間を形成し、スリット支持部には、上面板、底面板およびスリット押さえ部で規定される内部空間と連通する通水孔が形成され、底面板は、該打継埋め込み部材が打継部に埋め込まれた状態において、内部空間の底面に壁部の外面に向けて下降する斜面を形成して、壁部の外面から浸透し、スリット位置決め部を経て、通水孔から内部空間に流下した水分を、当該内部空間の開放した端部から壁部の外面方向へ向け排水させることにある。
【０００８】
かかる該打継埋め込み部材は、コンクリートを打設する型枠の外型枠に固定された打継目地棒に係合して、スリット押さえ部と内型枠との間に水平スリットを位置決めするから、壁部の厚さ方向のすべての領域にわたって、該打継埋め込み部材が水平スリットとともに上層階と下層階とのコンクリートの間に介在して、打継部に作用する剪断応力等を緩和することができる。また該打継埋め込み部材は、目地棒係合部とスリット押さえ部の間に上面板と底面板が位置して、外型枠と水平スリットの間隔を拡げるから、外型枠とスリット押さえ部の間の領域へのコンクリート打設を容易且つ確実なものにすることができる。また該打継埋め込み部材は、壁部外面から打継部に浸水した雨水が階下に流下するのを上面板によって阻止し、且つスリット位置決め部によって、室内側への浸水を阻止することができる。したがって浸水は、打継部近傍の上層階壁部外面から外気中に蒸発してしまう。さらに該打継埋め込み部材では、上面板、底面板およびスリット押さえ部で規定される内部空間が形成され、スリット押さえ部と内部空間との間が通水孔で連通し、そして底面板が、該打継埋め込み部材が打継部に埋め込まれた状態において、内部空間に壁部外面に向けて下降する斜面を形成している。したがって、打継部に埋め込まれた該打継埋め込み部材は、仮にスリット位置決め部を越えるスリット押さえ部側（室内側）への浸水があったとしても、かかる浸水を通水孔から内部空間に流下し、さらに壁部外面に向け排水して、外気中に蒸発させることができる。かかる打継埋め込み部材を用いる打継部の構造も同様である（請求項５）。
【０００９】
請求項２に係る打継埋め込み部材は、スリット位置決め部の上部が目地棒係合部側に折り曲がって水返し部を形成しているから、壁部外面から打継部に浸水した雨水が水平スリット側（室内側）に浸水することをより確実に阻止することができる。かかる打継埋め込み部材を用いる打継部の構造も同様である（請求項５）。
請求項３に係る打継埋め込み部材は、上面板が目地棒係合部とスリット押さえ部との間に室内側に向けて上昇する斜面を有しているから、外型枠とスリット押さえ部との間の領域へのコンクリート打設をさらに容易且つ確実にすることができ、また壁部外面から打継部に浸水した雨水を壁部外面側へと流下させることができる。かかる打継埋め込み部材を用いる打継部の構造も同様である（請求項５）。
【００１０】
請求項４に係る打継埋め込み部材は、さらに目地棒係合部から上面板および底面板を分離するための分離部を有している。したがって該打継埋め込み部材は、外型枠に固定された打継目地棒に目地棒係合部を係合したのち、目地棒係合部に上面板および前記底面板を係合することで、施工を容易にして建築工期を短縮することができる。かかる打継埋め込み部材を用いる打継部の構造も同様である（請求項５）。
【発明の効果】
【００１１】
以上のように本発明にかかる打継埋め込み部材は、水平スリットとともに上層階壁部と下層階壁部のそれぞれのコンクリートの間に介在して、打継部に作用する剪断応力等を緩和することができ、また打継部に浸水した雨水などを壁部外面側へ向けて排水することに優れ、さらに水平スリットと壁部外面との間の領域にコンクリートを良好に打設することを可能して打継部に欠落等が生じることを防ぐことができ、また目地棒係合部を分離可能にすることによって、建築工期の短縮を実現できる。本発明にかかる打継部の構造も同様である。
【発明を実施するための最良の形態】
【００１２】
以下、図面を参照し本発明にかかる打継埋め込み部材および打継部の構造を説明する。
【実施例１】
【００１３】
本発明にかかる打継埋め込み部材の一実施例を、図１ないし図４を用いて説明する。ここで、図１は、打継埋め込み部材１０の断面概略構成を示すものであり、図２は、打継埋め込み部材１０の斜視図を示すものであり、図３は、打継埋め込み部材１０を水平スリット２０とともに打継部５０に埋め込む工程および打継部の構造を説明するための図であり、そして図４は、打継埋め込み部材１０を水平スリット２０とともに打継部５０に埋め込んだときの打継部５０の近傍における打継部５０の概略断面構造を示す図である。なお従来の打継部における構成要素と同様の機能を有する構成要素には、同一の符号を附してそれらの説明を省略する。
【００１４】
（打継埋め込み部材）
図１に示すように、打継埋め込み部材１０は、目地棒係合部１１、スリット押さえ部１２、上面板１３および底面板１４を有しており、目地棒係合部１１とスリット押さえ部１２は、上面板１３と底面板１４によって一体化されている。ここで目地棒係合部１１は、その上部に位置する上面部材１１ａと下部に位置する底面部材１１ｂと間に、リブ１５ａが上面部材１１ａと直角に連結されて介在し、断面が横略Ｈ字形状を有しており、上面部材１１ａと底面部材１１ｂの間隔はスリット押さえ部１２に向け狭くなっている。そして上面板１３が目地棒係合部１１の上面部材１１ａとスリット位置決め部１２ｂの下部の間を一体的に連結し、底面板１４が目地棒係合部１１の底面部材１１ｂとスリット支持部１２ａの先端部の間を一体的に連結している。
【００１５】
水平スリット２０を位置づけるスリット押さえ部１２は、水平スリット２０の底面２０ａに当接するスリット支持部１２ａ（断面において例えば幅２０ｍｍ）と、水平スリット２０の一の側面２０ｂに当接するスリット位置決め部１２ｂ（例えば高さ２０ｍｍ）を有している。もちろんスリット位置決め部１２ｂは、スリット支持部１２ａに対し、垂直に立設している。
【００１６】
またリブ１５ｂおよび１５ｃが上面板１３（断面において例えば幅４０ｍｍ）と底面板１４との間に介在して、打継埋め込み部材１０を補強している。ここでスリット押さえ部１２に最も近いリブ１５ｂは、上面板１３、底面板１４およびスリット押さえ部１２とともに打継埋め込み部材１０の内部空間１６を画している。そしてリブ１５ｃは、リブ１５ｂとリブ１５ａとの間に介在して、上面板１３、底面板１４およびリブ１５ｂとともに内部空間１６’を画し、上面板１３、底面板１４およびリブ１５ａとともに内部空間１６”を画している。底面板１４は、少なくとも内部空間１６において、目地棒係合部１１に向け下降する斜面１４ａを形成している。
【００１７】
スリット押さえ部１２には、内部空間１６に連通する通水孔１２ｓ（例えば幅５ｍｍ）が形成されており、スリット位置決め部１２ｂの上部には、目地棒係合部１１側に向け（例えば５ｍｍ）折り返された水返し１２ｒが形成されている。したがって、上面板１３に流下等した浸水は、スリット位置決め部１２ｂ、さらには水返し１２ｒに阻止されてスリット押さえ部１２（室内側）に回り込み難く、仮にスリット押さえ部１２に回り込んだとしても通水孔１２ｓを経て打継埋め込み部材１０の内部空間１６へと流下する。なお打継埋め込み部材１０は、左右にそれぞれ端部１０ｔを有し、その長さ（定尺）Ｌは、例えば２ｍであり（図２）、例えば塩化ビニールなどの樹脂で形成されている。
【００１８】
（打継部への打継埋め込み部材等の埋め込み）
次に打継部５０への打継埋め込み部材１０等の埋め込み工程等を、図３に基づき説明する。まず外型枠６０と内型枠６２からなる型枠を設置したのち、打継部５０を形成することになる外型枠内面６０ａに、断面台形状の打継目地棒６１を釘などで固定したのち、打継埋め込み部材１０を打継目地棒６１に係合する（図３（ａ））。
【００１９】
ここで打継目地棒６１は、図１に示すように、互いに平行する面６１ａおよび面６１ｂに面６１ｃが直交し、さらに面６１ｄが面６１ａと面６１ｂとを連結して、面６１ａを底面とする断面台形状を形成している（例えば図１中、面６１ａは断面長さが２５ｍｍ、面６１ｂおよび面６１ｃは同じく２０ｍｍである）。打継目地棒６１は、面６１ｃを上にして面６１ａが外型枠内面６０ａに接するように固定されて、面６１ｃと外型枠６０とがなす角は直角になり、面６１ｄは外型枠６０に向け下降する斜面を形成する。
【００２０】
図１に示すように打継目地棒６１への打継埋め込み部材１０の係合は、目地棒係合部１１の上面部材１１ａが打継目地棒６１の面６１ｃと接し、目地棒係合部１１の底面部材１１ｂが打継目地棒６１の面６１ｄと接し、さらにリブ１５ａが打継目地棒６１の面６１ｂと接するように行われる（リブ１５ａの高さは、打継目地棒６１の面６１ｂの高さ例えば２０ｍｍに適合している）。そうすると打継埋め込み部材１０の上面板１３は、図１に示すように外型枠６０と直角に位置づけられ、打継埋め込み部材１０の底面板１４は、外型枠６０側に向け下降する斜面を有するように位置づけられる（底面板１４は、内部空間１６に外型枠６０側に向け下降する斜面を形成する）。
【００２１】
つぎに、スリット支持部１２ａの表面とコンクリートの上面が一致するように、型枠内にコンクリートを打設して下層階壁部４０を形成する（図３（ｂ））。そうすると下層階壁部４０の上部には、打継目地棒６１および打継埋め込み部材１０で覆われた部分と、打継埋め込み部材１０のスリット押さえ部１２の先端と内型枠内面６２ａとの間に露出した上面４０ｃを有する部分が形成される。なお図３（ｂ）中の４１は上層階壁部３０および下層階壁部４０に埋め込まれる鉄筋である。また下層階壁部４０は、図３（ｂ）および（ｃ）中において、その右側が床のコンクリート部分等と接することになる。
【００２２】
下層階壁部４０のコンクリートが硬化した後、下層階壁部４０の上面４０ｃの上に水平スリット２０を位置づける（図３（ｃ））。ここで水平スリット２０は、その幅方向中央部に伸縮自在の耐火部材２０ｄを有して、スリット支持部１２ａと内型枠内面６２ａとの間隔Ｗに適合するものであり、間隔Ｗよりも若干広い幅を有している。したがって水平スリット２０は、一の側面２０ｂがスリット位置決め部１２ｂと接し、底面２０ａが下層階壁部４０の上面４０ｃに接し（底面２０ａの一部はスリット支持部１２ａと接する）、他の側面２０ｃが内型枠内面６２ａと接して、下層階壁部４０の上面４０ｃの全域を覆うことになる。
【００２３】
一方、水平スリット２０と外枠型６０との間には、上面板１３（例えば幅４０ｍｍ）および打継目地棒６１に係合した目地棒係合部１１が介在して、水平スリット２０と外枠型内面６０ａとの間隔を打継目地棒６１の厚さ（例えば約２０ｍｍ）よりも拡げている（例えば７０ｍｍ）。
こうして水平スリット２０を位置づけたのち、下層階壁部４０の上方に上層階壁部３０を形成するためのコンクリートを打設する。このとき水平スリット２０と外枠型内面６０ａとの間の領域は、間隔が広いのでコンクリートを確実に打設することができる。そして下層階壁部４０と上層階壁部３０の間に目地棒係合部１１および水平スリット２０が介在して、両者のコンクリートが直接接することがない。下層階壁部４０のコンクリートが硬化した後、外型枠６１、打継目地棒６１および内型枠６２を取り外し、図４に示すように、打継目地棒６１があった部分にコーキングを充填する（コーキング部５１を形成する）。
【００２４】
このように、外型枠内面６０ａに固定された打継目地棒６１に打継埋め込み部材１０を係合し、内型枠内面６２ａと打継埋め込み部材１０が有するスリット押さえ部１２との間に水平スリット２０を位置づけて、コンクリートを型枠内に打設して打継部５０を形成すれば、下層階壁部４０と上層階壁部３０の間に目地棒係合部１１および水平スリット２０が介在して、両者のコンクリートが直接接することがないため、打継部５０に作用する剪断応力が緩和される。もちろん水平スリット２０は、厚さ方向（壁部３０の高さ方向）に弾性を有して剪断応力以外の応力も緩和することができる。
【００２５】
（浸水の排水）
かくして形成された打継部５０の概略断面構造（打継埋め込み部材１０の近傍における概略断面構造）を図４に示す。ところで豪雨などの場合には、上層階壁部外面３０ａなどから上層階壁部３０の内部に雨水が浸透することが否めない。こうした浸水は、上層階壁部外面３０ａの近傍内部を流下するなどして打継部５０に達する。ここで打継埋め込み部材１０は、その上面板１３で浸水が下層階壁部４０に流下することを阻止し、またスリット位置決め部１２ｂで浸水がスリット押さえ部１２に回り込むことを阻止する。こうして流下等を阻止された浸水は、打継部５０の近傍の上層階壁部外面３０ａから外気中に蒸発等する。
【００２６】
それにも拘わらずスリット押さえ部１２に回り込んだ浸水は、通水孔１２ｓを経て内部空間１６へと流下して、内部空間１６にいったん蓄えられる。ここで底面板１４の内面は、上層階壁部外面３０ａへ向け下降する斜面１４ａを形成しているから、内部空間１６に蓄えられた浸水は、打継埋め込み部材１０の左右の端部１０ｔから、打継部５０の近傍の下層階壁部外面４０ａに向け流下して外気中に蒸発等する。なおリブ１５ａおよび１５ｂに貫通孔を設けておけば、通水孔１２ｓを経て内部空間１６へと流下した浸水は、内部空間１６’および内部空間１６”へと流下するから、より下層階壁部外面４０ａに向け流下しやすくなる。なおコーキング部５１の下部面５１ｄは、下層階壁部外面４０ａへ向け下降する斜面だから雨水の浸水を阻止することに優れる一方、打継埋め込み部材１０の左右の端部１０ｔからの流下する浸水を打継部５０の近傍の下層階壁部外面４０ａへ向けて排水することに優れている。
【実施例２】
【００２７】
つぎに本発明にかかる打継埋め込み部材の他の実施例（実施例２）を、図５を用いて説明する。ここで図５は、打継埋め込み部材１０’の断面概略構成を示すものである。なお実施例１と同様の機能を有する構成要素には、同一の符号を附してそれらの説明を省略する。
打継埋め込み部材１０’では、上面板１３がスリット押さえ部１２側（室内側）に向けて上昇する斜面（外枠型内面６０ａに向け下降する斜面）を有している。すなわち、打継埋め込み部材１０’を水平スリット２０とともに打継部５０に埋め込む際、水平スリット２０と外枠型６０との間には、上面板１３および目地棒係合部１１が介在して、水平スリット２０と外枠型内面６０ａとの間隔が拡がることに加え、外枠型内面６０ａに向け下降する斜面が形成されるから、打設されたコンクリートが上面板１３上を外枠型内面６０ａへと流れるようになる（水平スリット２０と外枠型内面６０ａとの間の領域にコンクリートをさらに容易且つ確実に打設することができる）。こうして形成された打継部５０では、上層階壁部外面３０ａの近傍内部を流下などして、打継部５０に達した浸水が打継埋め込み部材１０’の上面板１３で階下に流下することを阻止され、しかも上面板１３の傾斜によって、打継部５０の近傍の上層階壁部外面３０ａに向け流下しやすいから、浸水の外気中への蒸発等がさらに促進される。
【実施例３】
【００２８】
つぎに本発明にかかる打継埋め込み部材の他の実施例（実施例３）について説明する。打継埋め込み部材１０”は、分離部１７を有して目地棒係合部１１と、上面板１３および底面板１４との間を分離可能に構成したものであり、分離部１７以外は、実施例１または実施例２と同様に構成することができるものである。したがって、目地棒係合部１１近傍の断面概略構成図（図６）に基づき、打継埋め込み部材１０”について説明する。なお他の実施例と同様の機能を有する構成要素には、同一の符号を附してそれらの説明を省略する。
【００２９】
打継埋め込み部材１０”の目地棒係合部１１は、その上面部材１１ａおよび底面部材１１ｂに係合爪１１ｃおよび１１ｄを有している。より具体的には、上面部材１１ａの上面板１３側端部には、その表面（図６中、上面部材１１ａの上側面）に、上面板１３に向け下降する斜面を有する係合爪１１ｃが形成されており、また底面部材１１ｂの底面板１４側端部には、その表面（図６中、底面部材１１ｂの下側面）に、底面板１４に向け上昇する斜面を有する係合爪１１ｄが形成されている。
【００３０】
もちろん上面板１３および底面板１４は、係合爪１１ｃおよび係合爪１１ｄに係合する係合爪１３ｃおよび１４ｃを有して、目地棒係合部１１に係合できるようになっている。より具体的には、上面板１３は、目地棒係合部１１側端部において、その斜め上方（図６中、上面板１３の斜め上方）に延伸した上面板端部１３ｔを形成し、この上面板端部１３ｔは、その先端部下面にリブ１５ｃに向け下降する斜面を有する係合爪１３ｃを形成している。また底面板１４は、目地棒係合部１１側端部において、その斜め下方（図６中、底面板１４の斜め下方）に延伸した底面板端部１４ｔを形成し、この底面板端部１４ｔは、その先端部上面にリブ１５ｃに向け上昇する斜面を有する係合爪１４ｃを形成している。かくして上面板端部１３ｔの係合爪１３ｃは、目地棒係合部１１の上面部材１１ａの係合爪１１ｃと係合することができ、底面板端部１４ｔの係合爪１４ｃは、目地棒係合部１１の底面部材１１ｂの係合爪１１ｄと係合することができる（すなわち打継埋め込み部材１０”の分離部１７を係合することができる）。
【００３１】
かかる打継埋め込み部材１０”の打継目地棒６１への取り付けは、つぎのようにして行う。まず実施例１と同様にして目地棒係合部１１を打継目地棒６１に係合する。さらに目地棒係合部１１のリブ１５ｂに補助部材１８を押し当てて、リブ１５ｂを打継目地棒６１と補助部材１８とで挟むようにして無頭釘１９でこれらを一体的に固定する。
こうして目地棒係合部１１を打継目地棒６１に固定係合したのち、分離部１７を係合する。そうすると、打継埋め込み部材１０”の上面板１３は、型枠内において外型枠６０と直角に位置づけられ、同じく底面板１４は、外型枠６０側に向けて下降する斜面を有するように位置づけられる。かかるのち、実施例１と同様に下層階壁部４０のコンクリートを打設すればよい。なおコンクリート硬化後、外枠６０および打継目地棒６１を取り外し、さらに無頭釘１９を抜いたのち、打継目地棒６１が存した部分にコーキング剤を充填する。
【００３２】
このように打継埋め込み部材１０”は、打継目地棒６１への係合を簡便且つ確実に行うことができるから、建築工期の短縮を実現するができる。もちろん分離部１７は、本実施例に限定されるものではない。
なお本発明は、上記各実施例に限定されるものではなく、その趣旨を逸脱しない範囲で適宜変形して実施することができる。
【図面の簡単な説明】
【００３３】
【図１】本発明の一実施例（実施例１）にかかる打継埋め込み部材の断面概略構成を示す図である。
【図２】図１の打継埋め込み部材の斜視図である。
【図３】図１の打継埋め込み部材を水平スリットとともに打継部に埋め込む工程および打継部の構造を説明するための図である。
【図４】図１の打継埋め込み部材を水平スリットとともに打継部に埋め込んだときの打継部近傍における打継部の概略断面構造を示す図である。
【図５】本発明の他の実施例（実施例２）にかかる打継埋め込み部材の断面概略構成を示すものである。
【図６】本発明の他の実施例（実施例３）にかかる打継埋め込み部材の分離部近傍の断面概略構成を示すものである。
【図７】従来の打継部の断面概略構造の一例を示す図である。
【符号の説明】
【００３４】
１０、１０’、１０”  打継埋め込み部材
１１  目地棒係合部
１２  スリット押さえ部
１２ａ  スリット支持部
１２ｂ  スリット位置決め部
１２ｓ  通水孔
１２ｒ  水返し
１３  上面板
１４  底面板
１４ａ  斜面
１６  内部空間
１７  分離部
２０  水平スリット
２０ａ  水平スリットの底面
２０ｂ  水平スリットの一の側面（水平スリットの外型枠側側面）
２０ｃ  水平スリットの他の側面
３０  上層階壁部
３０ａ  上層階壁部外面
４０  下層階壁部
４０ａ  下層階壁部外面
５０  打継部
６０  外型枠
６０ａ  外型枠内面
６１  打継目地棒
６２  内型枠
６２ａ  内型枠内面
【図１】
0005209242.tif 000002
【図２】
0005209242.tif 000003
【図３】
0005209242.tif 000004
【図４】
0005209242.tif 000005
【図５】
0005209242.tif 000006
【図６】
0005209242.tif 000007
【図７】
0005209242.tif 000008